(57)【要約】【課題】出力映像の切り替えに要する処理時間を短縮する情報処理システム、映像切替装置、及び情報処理方法を提供する。【解決手段】情報処理システム１０は、自然現象に関する自然現象情報を受信する通信部２１と、自然現象に関する第１映像信号が入力される第１映像入力部２７と、第１映像信号とは異なる第２映像信号が入力される第２映像入力部２８と、信号を表示装置１６へ出力可能な第１出力部２９と、第１出力部２９に信号を出力させる第１制御部３１と、を備える。第１制御部３１は、第１出力部２９に、第２映像信号を出力させ、自然現象情報が受信された場合、第１出力部２９に出力させる映像信号を第２映像信号から第１映像信号に切り替える切替処理を実行する。【選択図】図４
2017158157.tif 000002
【特許請求の範囲】
【請求項１】
所定の自然現象に関する自然現象情報を受信する通信部と、
前記自然現象に関する第１映像信号が入力される第１映像入力部と、
前記第１映像信号とは異なる第２映像信号が入力される第２映像入力部と、
信号を表示装置へ出力可能な第１出力部と、
前記出力部に信号を出力させる第１制御部と、
を備え、
前記第１制御部は、
前記第１出力部に、前記第２映像信号を出力させ、
前記自然現象情報が受信された場合、前記第１出力部に出力させる映像信号を前記第２映像信号から前記第１映像信号に切り替える切替処理を実行する、情報処理システム。
【請求項２】
請求項１に記載の情報処理システムであって、
前記自然現象は、地震を含み、
前記自然現象情報は、地震の発生時刻、マグニチュード、震源の位置情報、及び震源深さを含み、
前記情報処理システムは、
前記自然現象情報に基づいて予測震度及び予測猶予時間の少なくとも一方を含む予測情報を生成する予測情報生成部と、
生成された前記予測情報を含む前記第１映像信号を生成する映像信号生成部と、
を更に備える、情報処理システム。
【請求項３】
請求項１又は２に記載の情報処理システムであって、
前記第１制御部は、前記自然現象情報が受信された場合、前記第１出力部に、前記表示装置の動作を制御するための第１制御信号を出力させる、情報処理システム。
【請求項４】
請求項１乃至３の何れか一項に記載の情報処理システムであって、
信号を前記表示装置以外の所定の外部装置へ出力可能な第２出力部と、
前記第２出力部に信号を出力させる第２制御部と、
を更に備え、
前記第２制御部は、前記自然現象情報が受信された場合、前記第２出力部に、前記外部装置の動作を制御するための第２制御信号を出力させる、情報処理システム。
【請求項５】
請求項１乃至４の何れか一項に記載の情報処理システムであって、
前記情報処理システムは、
前記切替処理の実行後に前記第１映像信号が出力されていないと判定された場合、警報を発する警報発生部
を更に備える、情報処理システム。
【請求項６】
所定の自然現象に関する第１映像信号が入力される第１映像入力部と、
前記第１映像信号とは異なる第２映像信号が入力される第２映像入力部と、
信号を表示装置へ出力可能な第１出力部と、
前記出力部に信号を出力させる第１制御部と、
を備え、
前記第１制御部は、
前記第１出力部に、前記第２映像信号を出力させ、
前記第１映像信号が入力された場合、前記第１出力部に出力させる映像信号を前記第２映像信号から前記第１映像信号に切り替える切替処理を実行する、映像切替装置。
【請求項７】
通信部が、所定の自然現象に関する自然現象情報を受信するステップと、
第１映像入力部が、前記自然現象に関する第１映像信号を取得するステップと、
第２映像入力部が、前記第１映像信号とは異なる第２映像信号を取得するステップと、
第１出力部が、前記第２映像信号を出力するステップと、
第１制御部が、前記自然現象情報が受信された場合、前記第１出力部に出力させる映像信号を前記第２映像信号から前記第１映像信号に切り替えるステップと、
を含む、情報処理方法。
【発明の詳細な説明】
【技術分野】
【０００１】
本発明は、情報処理システム、映像切替装置、及び情報処理方法に関する。
【背景技術】
【０００２】
従来、多様な画面を表示可能な表示装置が知られている。例えば、特許文献１には、ＨＤＭＩ（登録商標）端子を備えるディスプレイが開示されている。
【先行技術文献】
【特許文献】
【０００３】
【特許文献１】特開２００８−１６７２６５号公報
【発明の概要】
【発明が解決しようとする課題】
【０００４】
また従来、複数のＨＤＭＩ（登録商標）入力端子を備えた表示装置が知られている。かかる表示装置は、例えばＤＶＤプレイヤ等の外部装置からＨＤＭＩ（登録商標）  ＣＥＣ（Consumer Electronics Control）による所定のコマンドを受信すると、映像出力に用いる入力端子を他の入力端子に切り替える処理、即ち出力映像の切替処理を実行する。
【０００５】
しかしながら、ＣＥＣコマンドによる切替処理には、約１０秒程度の処理時間を要する。このため、例えばテレビ映像等の通常の映像が表示されているときに、地震速報等の緊急性が高い情報を含む他の映像に切り替える場合には、ＣＥＣコマンドによる切替処理の採用は必ずしも適切でない。例えば地震速報は、対象地域にＳ波が到達する前に、地震の発生を予報することを目的とする。このため、ＣＥＣコマンドの処理時間によっては、Ｓ波が到達した後に地震の発生を予報する映像が出力されることとなり、地震速報の目的が達成されない可能性がある。したがって、出力映像の切り替えに要する処理時間について改善の余地があった。
【０００６】
かかる事情に鑑みてなされた本発明の目的は、出力映像の切り替えに要する処理時間を短縮する情報処理システム、映像切替装置、及び情報処理方法を提供することにある。
【課題を解決するための手段】
【０００７】
上記課題を解決するために本発明に係る情報処理システムは、
所定の自然現象に関する自然現象情報を受信する通信部と、
前記自然現象に関する第１映像信号が入力される第１映像入力部と、
前記第１映像信号とは異なる第２映像信号が入力される第２映像入力部と、
信号を表示装置へ出力可能な第１出力部と、
前記出力部に信号を出力させる第１制御部と、
を備え、
前記第１制御部は、
前記第１出力部に、前記第２映像信号を出力させ、
前記自然現象情報が受信された場合、前記第１出力部に出力させる映像信号を前記第２映像信号から前記第１映像信号に切り替える切替処理を実行する
ことを特徴とする。
【０００８】
また、本発明に係る映像切替装置は、
所定の自然現象に関する第１映像信号が入力される第１映像入力部と、
前記第１映像信号とは異なる第２映像信号が入力される第２映像入力部と、
信号を表示装置へ出力可能な第１出力部と、
前記出力部に信号を出力させる第１制御部と、
を備え、
前記第１制御部は、
前記第１出力部に、前記第２映像信号を出力させ、
前記第１映像信号が入力された場合、前記第１出力部に出力させる映像信号を前記第２映像信号から前記第１映像信号に切り替える切替処理を実行する
ことを特徴とする。
【０００９】
また、本発明に係る情報処理方法は、
通信部が、所定の自然現象に関する自然現象情報を受信するステップと、
第１映像入力部が、前記自然現象に関する第１映像信号を取得するステップと、
第２映像入力部が、前記第１映像信号とは異なる第２映像信号を取得するステップと、
第１出力部が、前記第２映像信号を出力するステップと、
第１制御部が、前記自然現象情報が受信された場合、前記第１出力部に出力させる映像信号を前記第２映像信号から前記第１映像信号に切り替えるステップと、を含む
ことを特徴とする。
【発明の効果】
【００１０】
本発明による情報処理システム、映像切替装置、及び情報処理方法によれば、出力映像の切替に要する処理時間が短縮される。
【図面の簡単な説明】
【００１１】
【図１】本発明の一実施形態に係る情報処理システムの概略構成を示すブロック図である。
【図２】図１の配信サーバの概略構成を示すブロック図である。
【図３】図１の通報装置の概略構成を示すブロック図である。
【図４】図１の映像切替装置の概略構成を示すブロック図である。
【図５】図１の駆動制御装置の概略構成を示すブロック図である。
【図６】図１の表示装置に表示される画面の例を示す図である。
【図７】図１の表示装置に表示される画面の例を示す図である。
【図８】通報装置の動作を説明するフローチャートである。
【図９】映像切替装置の動作を説明するフローチャートである。
【図１０】駆動制御装置の動作を説明するフローチャートである。
【発明を実施するための形態】
【００１２】
以下、本発明の実施形態について説明する。
【００１３】
はじめに、図１を参照して、本発明の一実施形態に係る情報処理システム１０について説明する。情報処理システム１０は、配信サーバ１１と、通報装置１２と、映像切替装置１３と、駆動制御装置１４と、を備える。情報処理システム１０は、それぞれ１以上の任意の数の配信サーバ１１、通報装置１２、映像切替装置１３、及び駆動制御装置１４を備えてもよい。通報装置１２、映像切替装置１３、及び駆動制御装置１４は、例えば家屋、店舗、又は車両等に設置される。
【００１４】
配信サーバ１１は、例えば専用線又はＶＰＮ等のネットワークを介して外部サーバ１５と通信可能に接続される。また配信サーバ１１は、例えばインターネット等のネットワークを介して、通報装置１２と通信可能に接続される。また通報装置１２は、有線又は無線を介して、映像切替装置１３及び駆動制御装置１４とそれぞれ通信可能に接続される。また映像切替装置１３は、例えば有線を介して表示装置１６と通信可能に接続される。また駆動制御装置１４は、有線又は無線を介して外部装置１７と通信可能に接続される。
【００１５】
概略として、情報処理システム１０において、はじめに外部サーバ１５から配信サーバ１１へ自然現象情報が送信される。ここで自然現象情報は、所定の自然現象に関する情報である。本実施形態において、所定の自然現象は地震であるが、例えば津波、噴火、又は天候等、任意の自然現象であってもよい。また本実施形態において、自然現象情報は、地震の発生時刻、マグニチュード、震源位置、及び震源深さを含んでもよい。
【００１６】
好適には、外部サーバ１５から中継サーバを介して１以上の配信サーバ１１それぞれへ自然現象情報が送信される。ここで中継サーバは、例えばＬＡＮを介して１以上の配信サーバ１１それぞれと通信可能に接続される。ここで中継サーバは、例えば自然現象情報に関する任意の条件（例えば、外部サーバ１５から受信された自然現象情報が誤報ではないと判定するための条件）を予め記憶しておき、外部サーバ１５から受信された自然現象情報に基づき当該条件が満たされるか否かを判定する。そして中継サーバは、当該条件が満たされる（又は満たされない）と判定された場合に、当該自然現象情報を１以上の配信サーバ１１それぞれへ送信する。かかる構成によって、例えば誤報と判定される自然現象情報が配信サーバ１１へ送信されることが抑制可能である。
【００１７】
続いて配信サーバ１１は、外部サーバ１５（又は中継サーバ）から受信した自然現象情報を通報装置１２へ送信する。続いて通報装置１２は、配信サーバ１１から自然現象情報を受信すると、映像切替装置１３へ及び駆動制御装置１４へそれぞれ所定の制御信号又は通知を送信する。
【００１８】
そして、当該制御信号を受信した映像切替装置１３は、例えば自然現象に関する映像信号（第１映像信号）を表示装置１６へ出力する。第１映像信号によって、例えば地震の予測震度等の情報が表示装置１６に表示される。
【００１９】
また、当該通知を受信した駆動制御装置１４は、接続された外部装置１７（例えば、ガス用電磁弁又は照明装置）に対する駆動制御を行う。駆動制御によって、例えばガス用電磁弁が自動的に閉じ、又は照明装置が自動的に点灯する。
【００２０】
次に、情報処理システム１０の各構成要素について詳細に説明する。
【００２１】
まず、配信サーバ１１について説明する。配信サーバ１１は、例えば図２に示すように、サーバ通信部１８と、サーバ記憶部１９と、サーバ制御部２０と、を備える。
【００２２】
サーバ通信部１８は、有線又は無線を介して情報の送受信を行うインターフェースを含む。本実施形態において、サーバ通信部１８は、通報装置１２及び外部サーバ１５とそれぞれ通信可能である。好適には、配信サーバ１１及び通報装置１２は、常時接続が確立されており、情報を送信する際に例えばハンドシェイク等の接続確立処理の実行を要さない。
【００２３】
サーバ記憶部１９は、例えば記憶装置を含む。サーバ記憶部１９は、配信サーバ１１の動作に必要な種々の情報及びプログラムを記憶する。
【００２４】
例えばサーバ記憶部１９は、通報装置１２に関する情報（通報装置情報）を記憶する。通報装置情報は、例えば通報装置１２の識別情報、設置位置、設置位置の地域コード、設置位置の地盤増幅度、及び通報装置１２との間で標準時刻を同期するための情報（標準時刻同期情報）を含むが、通報装置１２に関する任意の情報を含んでもよい。通報装置情報は、例えば通報装置１２のユーザが使用するＰＣ等の情報処理装置において入力され、配信サーバ１１へ送信されて、サーバ記憶部１９に記憶される。
【００２５】
またサーバ記憶部１９は、後述するように外部サーバ１５から受信された自然現象情報を記憶する。
【００２６】
サーバ制御部２０は、例えば専用のプロセッサ、及び特定のプログラムを読み込むことによって特定の機能を実現するＣＰＵを含む。サーバ制御部２０は、配信サーバ１１全体の動作を制御する。例えばサーバ制御部２０は、サーバ通信部１８を介して情報の送受信を行う。
【００２７】
またサーバ制御部２０は、通報装置１２から通報装置１２の識別情報（例えば、任意に定められたＩＤ番号又はＭＡＣアドレス等）を定期的に受信する。そしてサーバ制御部２０は、通報装置１２の識別情報を受信すると、当該通報装置１２の通報装置情報をサーバ記憶部１９から読み出して、通報装置１２へ送信する。
【００２８】
好適には、サーバ制御部２０は、通報装置１２の識別情報の定期的な受信に基づいて、通報装置１２の死活監視を行う。かかる構成において、サーバ制御部２０は、例えば通報装置１２から識別情報を所定期間に亘って受信できない場合、通報装置１２の異常と判定する。そしてサーバ制御部２０は、通報装置１２の異常と判定された場合、通報装置１２のユーザ又は情報処理システム１０の管理者等に対し、例えばメールによる通知を自動的に行う。
【００２９】
またサーバ制御部２０は、外部サーバ１５によって送信された自然現象情報を受信する。ここで外部サーバ１５は、例えば任意の観測地点で地震の発生（例えば、Ｐ波の到達）が検出されると、検出された情報に基づいて自然現象情報を生成し、配信サーバ１１へ送信する。一般に、観測地点で検出される情報に基づいて、マグニチュード、震源位置、及び震源深さを算出するのに要する処理時間は、地域毎に異なる予測震度及び予測猶予時間を算出するのに要する処理時間よりも短い。したがって、サーバ制御部２０は、マグニチュード、震源位置、及び震源深さを含む自然現象情報を、地震発生の検出後、比較的短時間で、外部サーバ１５から受信可能である。
【００３０】
またサーバ制御部２０は、自然現象情報を受信すると、当該自然現象情報を通報装置１２へ送信する。
【００３１】
次に、通報装置１２について説明する。通報装置１２は、例えば図３に示すように、通報装置通信部（通信部）２１と、位置情報取得部２２と、通報装置記憶部２３と、通報装置制御部２４と、を備える。
【００３２】
通報装置通信部２１は、有線又は無線を介して情報の送受信を行うインターフェースを含む。また通報装置通信部２１は、映像信号及び制御信号の送信を行うための、例えばＨＤＭＩ（登録商標）規格に準拠したインターフェースを含む。本実施形態において、通報装置通信部２１は、配信サーバ１１、映像切替装置１３、及び駆動制御装置１４とそれぞれ通信可能である。
【００３３】
位置情報取得部２２は、例えばＧＰＳ等を含む。位置情報取得部２２は、通報装置１２の設置位置を示す情報を生成する。
【００３４】
通報装置記憶部２３は、例えば記憶装置を含む。通報装置記憶部２３は、通報装置１２の動作に必要な種々の情報及びプログラムを記憶する。例えば通報装置記憶部２３は、通報装置１２の識別情報を予め記憶する。識別情報は、例えば任意に定められたＩＤ番号、ＭＡＣアドレス、又はＩＰアドレス等、通報装置１２を一意に識別可能な情報である。
【００３５】
通報装置制御部２４は、例えば専用のプロセッサ、及び特定のプログラムを読み込むことによって特定の機能を実現するＣＰＵを含む。通報装置制御部２４は、通報装置１２全体の動作を制御する。例えば通報装置制御部２４は、通報装置通信部２１を介して情報の送受信を行う。
【００３６】
また通報装置制御部２４は、定期的に、例えば３分間隔で、通報装置１２の識別情報を配信サーバ１１へ送信する。上述したように、定期的に送信される識別情報は、配信サーバ１１によって通報装置１２の死活監視に用いられる。
【００３７】
続いて通報装置制御部２４は、通報装置１２の識別情報を受信した配信サーバ１１から、通報装置情報を受信して通報装置記憶部２３に記憶する。かかる構成によって、通報装置１２は、自装置の通報装置情報を自動的に更新可能であり、例えば通報装置１２が移設された場合に、通報装置１２自体に対して例えばユーザが通報装置情報を入力する必要がない。
【００３８】
また通報装置制御部２４は、予測情報生成部２５及び映像信号生成部２６としても機能する。以下、通報装置制御部２４を予測情報生成部２５又は映像信号生成部２６ともいう。
【００３９】
予測情報生成部２５は、配信サーバ１１から自然現象情報を受信すると、当該自然現象情報と、自装置の通報装置情報と、に基づいて、予測震度及び予測猶予時間の少なくとも一方を算出する。具体的には、予測情報生成部２５は、自然現象情報に含まれる地震の発生時刻、マグニチュード、震源の位置情報、及び震源深さ、並びに通報装置情報に含まれる地域コード及び地盤増幅度等に基づいて、予測震度及び予測猶予時間を算出する。予測震度及び予測猶予時間の算出には、任意のアルゴリズムが採用可能である。
【００４０】
続いて予測情報生成部２５は、算出された予測震度が所定の閾値以上であるか否かを判定する。所定の閾値は、予め設定された値であってもよく、例えばユーザによって任意に設定された値であってもよい。予測震度が閾値以上であると判定された場合、予測情報生成部２５は、算出された予測震度及び予測猶予時間の少なくとも一方を含む予測情報を生成する。また予測情報生成部２５は、後述するように映像切替装置１３が予測情報に基づいて警報音声を生成する構成である場合には、予測情報を映像切替装置１３へ送信する。
【００４１】
また予測情報生成部２５は、予測震度が閾値以上であると判定された場合、所定の通知（例えば、予測震度が閾値以上であることを示す通知）を駆動制御装置１４へ送信する。当該通知によって、後述するように駆動制御装置１４が外部装置１７に対する駆動制御を実行し得る。
【００４２】
映像信号生成部２６は、上述のように予測情報生成部２５によって予測震度が閾値以上であると判定された場合、自然現象に関する第１映像信号を生成する。具体的には、映像信号生成部２６は、自然現象情報の少なくとも一部及び／又は予測情報生成部２５によって生成された予測情報を含む第１映像信号を生成する。そして映像信号生成部２６は、生成された第１映像信号と、映像切替装置１３に第１映像信号を出力させる制御信号と、を映像切替装置１３へ送信する。ここで第１映像信号を出力させる制御信号は、例えば映像切替装置１３に入力される複数の映像信号のうち、出力させる映像信号を順次切り替えさせるパルス信号であってもよく、出力させる映像信号を指定する信号であってもよい。
【００４３】
好適には、通報装置制御部２４（映像信号生成部２６）は、映像切替装置１３に第１映像信号を出力させる制御信号を送信した後、映像切替装置１３において第１映像信号が正常に出力されていない場合に、当該制御信号を映像切替装置１３へ再送信する。通報装置制御部２４（映像信号生成部２６）の当該動作の詳細については後述する。
【００４４】
また通報装置制御部２４（映像信号生成部２６）は、映像切替装置１３に第１映像信号を出力させる制御信号を送信した後、例えば所定時間が経過すると、映像切替装置１３に第１映像信号の出力を停止させる制御信号を映像切替装置１３へ送信する。当該制御信号の送信によって、通報装置制御部２４（映像信号生成部２６）は、映像切替装置１３に第１映像信号の出力を停止させ、好適には第２映像信号を出力させる。
【００４５】
次に、映像切替装置１３について説明する。映像切替装置１３は、例えば図４に示すように、第１映像入力部２７と、第２映像入力部２８と、切替装置出力部（第１出力部）２９と、警報発生部３０と、切替装置制御部（第１制御部）３１と、を備える。
【００４６】
第１映像入力部２７は、映像信号及び制御信号の入力を行うための、例えばＨＤＭＩ（登録商標）規格に準拠したインターフェースを含む。また第１映像入力部２７は、有線又は無線を介して情報の送受信を行うインターフェースを含む。本実施形態において、第１映像入力部２７には、通報装置１２が接続され、例えば第１映像信号及び制御信号が入力される。
【００４７】
第２映像入力部２８は、映像信号及び制御信号の入力を行うための、例えばＨＤＭＩ（登録商標）規格に準拠したインターフェースを含む。また第２映像入力部２８は、有線又は無線を介して情報の送受信を行うインターフェースを含む。本実施形態において、第２映像入力部２８には、例えばＴＶチューナ、ＤＶＤ再生装置、又はデジタルサイネージ映像の出力装置等が接続され、例えば第２映像信号及び制御信号が入力される。第２映像信号は、任意の情報を含む映像信号であってもよい。また、複数の第２映像入力部２８が、映像切替装置１３に備えられてもよい。
【００４８】
切替装置出力部２９は、映像信号及び制御信号の出力を行うための、例えばＨＤＭＩ（登録商標）規格に準拠したインターフェースを含む。制御信号は、例えば任意のＨＤＭＩ（登録商標）  ＣＥＣコマンドを含んでもよい。本実施形態において、切替装置出力部２９には、例えば有線を介して表示装置１６が接続される。
【００４９】
警報発生部３０は、例えばアンプ及びスピーカを含む。本実施形態において、警報発生部３０は、後述するように切替装置制御部３１の制御に従って所定の警報音声を再生する。警報音声は、例えば上述した自然現象情報の少なくとも一部及び／又は予測情報を含む音声であるが、任意の情報を含んでもよく、或いは警報音であってもよい。
【００５０】
切替装置制御部３１は、例えば専用のプロセッサ、及び特定のプログラムを読み込むことによって特定の機能を実現するＣＰＵを含む。切替装置制御部３１は、映像切替装置１３全体の動作を制御する。
【００５１】
例えば切替装置制御部３１は、切替装置出力部２９に映像信号及び第１制御信号を出力させる。以下、具体的に説明する。
【００５２】
はじめに切替装置制御部３１は、第２映像信号を切替装置出力部２９に出力させる。
【００５３】
続いて切替装置制御部３１は、上述した第１映像信号を出力させる制御信号を通報装置１２から受信すると、切替装置出力部２９に出力させる映像信号を、第２映像信号から第１映像信号に切り替える切替処理を実行する。
【００５４】
具体的には、切替装置制御部３１は、第１映像信号を出力させる制御信号を通報装置１２から受信すると、表示装置１６の動作を制御するための第１制御信号を生成する。続いて切替装置制御部３１は、第１制御信号を切替装置出力部２９に出力させる。出力された第１制御信号によって、例えば表示装置１６の状態がスタンバイ状態（例えば、非点灯状態）である場合に非スタンバイ状態（例えば、点灯状態）に切り替わり、表示装置１６の音量が所定の大きさに定められ、第１映像信号に基づく映像（画面）が表示可能な状態となる。そして切替装置制御部３１は、第１映像信号を切替装置出力部２９に出力させる。かかる構成によって、第１映像信号が表示装置１６へ出力されるに際し、表示装置１６の動作を適切に制御可能となる。このため、例えば地震が発生した際に、第１映像信号に基づく映像及び音声が再生されてユーザに認識される確実性が向上し、ユーザの安全性の向上が可能である。
【００５５】
このように切替処理によって、表示装置１６において表示される画面が、例えば図６に示す第２映像信号に基づく画面（第２画面）から、例えば図７に示す第１映像信号に基づく画面（第１画面）に切り替わる。図６に示す第２画面は、例えば複数の電子コンテンツ（例えば、文書データ又は音声データ等）に対応する画像を表示する画面である。例えば、表示装置１６に備えられたタッチパネルに対するユーザ操作に応じて選択された電子コンテンツが、表示装置１６において再生される。一方、図７に示す第１画面は、配信サーバ１１から通報装置１２へ送信された自然現象情報に含まれる震源位置、震源深さ、地震の発生時刻、及びマグニチュードと、通報装置１２によって生成された予測情報に含まれる予測震度、予測猶予時間、及び地図情報を表示する画面である。ここで地図情報は、例えば自然現象情報及び予測情報に基づいて決定される、自然現象による被害が発生し得る地域、自然現象の発生位置（例えば、震源位置）、及び通報装置１２の設置位置等を、ユーザが視認可能な地図を示す情報である。
【００５６】
また切替装置制御部３１は、上述した第１映像信号の出力を停止させる制御信号を通報装置１２から受信すると、切替装置出力部２９に第１映像信号の出力を停止させ、第２映像信号を出力させる。
【００５７】
また切替装置制御部３１は、後述するように、映像切替装置１３に警報音声を再生させるための制御信号を通報装置１２から受信すると、警報音声を警報発生部３０に再生させる。ここで警報音声は、例えば自然現象情報の少なくとも一部及び／又は予測情報を含む音声である。切替装置制御部３１は、例えば通報装置１２から入力される予測情報に基づいて警報音声を生成してもよい。或いは、切替装置制御部３１は、第１映像信号に含まれる音声信号を警報音声として抽出してもよい。
【００５８】
ここで、通報装置１２及び映像切替装置１３は、映像切替装置１３から第１映像信号が何らかの原因で正常に出力されていない場合、即ち、第１映像信号を出力させる制御信号が通報装置１２から映像切替装置１３へ送信された後に第１映像信号が出力されていない場合、特定の動作を行う。以下、具体的に説明する。
【００５９】
はじめに、映像切替装置１３の切替装置制御部３１は、表示装置１６へ実際に出力されている映像信号が第１映像信号であるか否かを示す参照信号を通報装置１２へ送信する。ここで、実際に出力されている映像信号が第１映像信号であるか否かの判断は、例えば映像切替装置１３に備えられた、実際に出力されている映像信号が第１映像入力部２７及び第２映像入力部２８の何れから入力されているかを表示するＬＥＤの点灯状態を監視することによって行ってもよい。また、参照信号の送信は、例えば定期的に行われてもよく、或いは上述したように切替装置出力部２９に出力させる映像信号を第２映像信号から第１映像信号に切り替える切替処理を実行した後に行われてもよい。
【００６０】
続いて通報装置１２の通報装置制御部２４（映像信号生成部２６）は、上述したように映像切替装置１３に第１映像信号を出力させる制御信号を映像切替装置１３へ送信した後、映像切替装置１３から受信した参照信号に基づいて、映像切替装置１３から第１映像信号が出力されているか否かを判定する。
【００６１】
そして通報装置制御部２４（映像信号生成部２６）は、第１映像信号が出力されていないと判定された場合、上述した映像切替装置１３に第１映像信号を出力させる制御信号を映像切替装置１３へ再送信する。当該制御信号の再送信は、例えば所定の上限回数まで実行される。かかる構成によって、当該制御信号の送信後に何らかの理由で第１映像信号が出力されない場合に、当該制御信号が再送信されるので、第１映像信号が正常に出力される確実性が向上する。
【００６２】
ここで通報装置制御部２４は、例えば当該制御信号の再送信を上限回数まで実行した後に、映像切替装置１３から第１映像信号が出力されていないと判定された場合、映像切替装置１３に警報音声を再生させるための制御信号を映像切替装置１３へ送信する。
【００６３】
次に、駆動制御装置１４について説明する。駆動制御装置１４は、例えば図５に示すように、制御装置通信部（第２出力部）３２と、制御装置制御部（第２制御部）３３と、を備える。
【００６４】
制御装置通信部３２は、有線又は無線を介して情報の送受信（入出力）を行うインターフェースを含む。本実施形態において、制御装置通信部３２は、例えばガス用電磁弁又は照明装置等の外部装置１７と、通報装置１２と、に接続される。
【００６５】
制御装置制御部３３は、例えば専用のプロセッサ、及び特定のプログラムを読み込むことによって特定の機能を実現するＣＰＵを含む。制御装置制御部３３は、駆動制御装置１４全体の動作を制御する。例えば制御装置制御部３３は、制御装置通信部３２を介して情報の送受信を行う。
【００６６】
また制御装置制御部３３は、外部装置１７に対する駆動制御を行う。具体的には、制御装置制御部３３は、予測震度が閾値以上であることを示す通知を通報装置１２から受信すると、外部装置１７の動作を制御するための第２制御信号を生成する。そして制御装置制御部３３は、制御装置通信部３２に、第２制御信号を外部装置１７へ出力させる。ここで、第２制御信号によって制御される外部装置１７の動作の具体的内容は、外部装置１７に応じて予め定められる。例えば外部装置１７がガス用電磁弁である場合、出力された第２制御信号によって、ガス用電磁弁が開いた状態から閉じた状態に切り替わる。また例えば、外部装置１７が照明装置である場合、出力された第２制御信号によって、照明装置が消灯した状態から点灯した状態に切り替わる。かかる構成によって、外部装置１７に応じて動作を適切に制御可能となり、例えば地震が発生した際のユーザの安全性の向上が可能である。
【００６７】
好適には、制御装置制御部３３は、上述のように予測震度が閾値以上であることを示す通知を通報装置１２から受信すると、外部装置１７に対して外部装置１７の状態を示す情報を要求する。続いて制御装置制御部３３は、外部装置１７から取得した当該情報に基づいて、外部装置１７に対する制御を実行するか否かを判定する。例えば、外部装置１７がガス用電磁弁である場合、制御装置制御部３３は、ガス用電磁弁が開いている状態であるときに、ガス用電磁弁を閉じさせる制御を実行すると判定する。また例えば、外部装置１７が照明装置である場合、制御装置制御部３３は、照明装置が消灯している状態であるときに、照明装置を点灯させる制御を実行すると判定する。そして制御装置制御部３３は、外部装置１７に対する制御を実行すると判定した場合、第２制御信号を生成して、外部装置１７へ出力する。
【００６８】
次に、図８のフローチャートを参照して、通報装置１２の上述した動作について説明する。
【００６９】
ステップＳ１００：はじめに通報装置１２の通報装置制御部２４は、配信サーバ１１との間で通信の接続を確立する。
【００７０】
ステップＳ１０１：続いて通報装置制御部２４は、配信サーバ１１から自然現象情報が受信されたか否かを判定する。自然現象情報が受信されたと判定された場合（ステップＳ１０１−Ｙｅｓ）、ステップＳ１０２に進む。一方、自然現象情報が受信されていないと判定された場合（ステップＳ１０１−Ｎｏ）、ステップＳ１０１を繰り返して、自然現象情報の受信を待ち受ける。
【００７１】
ステップＳ１０２：ステップＳ１０１において自然現象情報が受信されたと判定された場合（ステップＳ１０１−Ｙｅｓ）、通報装置制御部２４（予測情報生成部２５）は、受信された自然現象情報に基づいて予測震度（及び予測猶予時間）を算出する。
【００７２】
ステップＳ１０３：続いて通報装置制御部２４（予測情報生成部２５）は、ステップＳ１０２において算出された予測震度が所定の閾値以上であるか否かを判定する。予測震度が所定の閾値以上であると判定された場合（ステップＳ１０３−Ｙｅｓ）、ステップＳ１０３に進む。一方、予測震度が所定の閾値未満であると判定された場合（ステップＳ１０３−Ｎｏ）、ステップＳ１０１に戻る。
【００７３】
ステップＳ１０４：ステップＳ１０３において予測震度が所定の閾値以上であると判定された場合（ステップＳ１０３−Ｙｅｓ）、通報装置制御部２４（予測情報生成部２５）は、予測震度が閾値以上であることを示す通知を駆動制御装置１４へ送信する。
【００７４】
ステップＳ１０５：続いて通報装置制御部２４（予測情報生成部２５）は、ステップＳ１０２で算出された予測震度及び予測猶予時間の少なくとも一方を含む予測情報を生成する。
【００７５】
ステップＳ１０６：続いて通報装置制御部２４（映像信号生成部２６）は、ステップＳ１０５において生成された予測情報を含む第１映像信号を生成する。
【００７６】
ステップＳ１０７：続いて通報装置制御部２４（映像信号生成部２６）は、ステップＳ１０６において生成された第１映像信号と、映像切替装置１３に第１映像信号を出力させる制御信号と、を映像切替装置１３へ送信する。このようにして、通報装置制御部２４は、映像切替装置１３に第１映像信号を出力させる。
【００７７】
ステップＳ１０８：続いて通報装置制御部２４（映像信号生成部２６）は、映像切替装置１３から参照信号を受信すると、当該参照信号に基づいて、映像切替装置１３から第１映像信号が出力されているか否かを判定する。第１映像信号が出力されていると判定された場合（ステップＳ１０８−Ｙｅｓ）、ステップＳ１０９に進む。一方、第１映像信号が出力されていないと判定されると、通報装置制御部２４（映像信号生成部２６）は、所定の上限回数までステップＳ１０７−Ｓ１０８を繰り返し実行する。そして上限回数まで連続して第１映像信号が出力されていないと判定された場合（ステップＳ１０８−Ｎｏ）、ステップＳ１１０に進む。
【００７８】
ステップＳ１０９：ステップＳ１０８において第１映像信号が出力されていると判定された場合（ステップＳ１０８−Ｙｅｓ）、通報装置制御部２４（映像信号生成部２６）は、ステップＳ１０７において第１映像信号を出力させる制御信号を送信した後、例えば所定時間が経過すると、映像切替装置１３に第１映像信号の出力を停止させる制御信号を映像切替装置１３へ送信する。このようにして、通報装置制御部２４（映像信号生成部２６）は、映像切替装置１３に第１映像信号の出力を停止させ、例えば第２映像信号を出力させる。その後、ステップＳ１０１に戻る。
【００７９】
ステップＳ１１０：上限回数まで連続して第１映像信号が出力されていないと判定された場合（ステップＳ１０８−Ｎｏ）、通報装置制御部２４は、映像切替装置１３に警報音声を再生させるための制御信号を、映像切替装置１３へ送信する。このようにして、通報装置制御部２４は、映像切替装置１３に警報音声を再生させる。その後、ステップＳ１０１に戻る。
【００８０】
次に、図９のフローチャートを参照して、映像切替装置１３の上述した動作について説明する。
【００８１】
ステップＳ２００：はじめに映像切替装置１３の切替装置制御部３１は、第２映像信号を出力させる。
【００８２】
ステップＳ２０１：続いて切替装置制御部３１は、第１映像信号を出力させる制御信号が通報装置１２から受信されたか否かを判定する。制御信号が受信されたと判定された場合（ステップＳ２０１−Ｙｅｓ）、ステップＳ２０２に進む。一方、制御信号が受信されていないと判定された場合（ステップＳ２０１−Ｎｏ）、切替装置制御部３１は、ステップＳ２０１を繰り返して、制御信号の受信を待ち受ける。
【００８３】
ステップＳ２０２：ステップＳ２０１において制御信号が受信されたと判定された場合（ステップＳ２０１−Ｙｅｓ）、切替装置制御部３１は、表示装置１６の動作を制御するための第１制御信号を生成して、切替装置出力部２９に表示装置１６へ出力させる。
【００８４】
ステップＳ２０３：続いて切替装置制御部３１は、第１映像信号を切替装置出力部２９に出力させる。
【００８５】
ステップＳ２０４：続いて切替装置制御部３１は、表示装置１６へ実際に出力されている映像信号が第１映像信号であるか否かを示す参照信号を通報装置１２へ送信する。
【００８６】
ステップＳ２０５：続いて切替装置制御部３１は、第１映像信号を出力させる制御信号が通報装置１２から再度受信されたか否かを判定する。制御信号が再度受信されたと判定された場合（ステップＳ２０５−Ｙｅｓ）、ステップＳ２０３に戻る。一方、制御信号が再度受信されていないと判定された場合（ステップＳ２０５−Ｎｏ）、ステップＳ２０６に進む。
【００８７】
ステップＳ２０６：ステップＳ２０５において制御信号が再度受信されていないと判定された場合（ステップＳ２０５−Ｎｏ）、切替装置制御部３１は、第１映像信号の出力を停止させる制御信号が通報装置１２から受信されたか否かを判定する。制御信号が受信されたと判定された場合（ステップＳ２０６−Ｙｅｓ）、ステップＳ２０７に進む。一方、制御信号が受信されていないと判定された場合（ステップＳ２０６−Ｎｏ）、ステップＳ２０８に進む。
【００８８】
ステップＳ２０７：ステップＳ２０６において制御信号が受信されたと判定された場合（ステップＳ２０６−Ｙｅｓ）、切替装置制御部３１は、切替装置出力部２９に第１映像信号の出力を停止させる。その後、ステップＳ２００に戻る。
【００８９】
ステップＳ２０８：ステップＳ２０６において制御信号が受信されていないと判定された場合（ステップＳ２０６−Ｎｏ）、切替装置制御部３１は、警報音声を再生させる制御信号が通報装置１２から受信されたか否かを判定する。制御信号が受信されたと判定された場合（ステップＳ２０８−Ｙｅｓ）、ステップＳ２０９に進む。一方、制御信号が受信されていないと判定された場合（ステップＳ２０８−Ｎｏ）、ステップＳ２０５に戻る。
【００９０】
ステップＳ２０９：ステップＳ２０８において制御信号が受信されたと判定された場合（ステップＳ２０８−Ｙｅｓ）、切替装置制御部３１は、予測情報を含む警報音声を生成して、警報発生部３０に再生させる。
【００９１】
次に、図１０のフローチャートを参照して、駆動制御装置１４の動作について説明する。
【００９２】
ステップＳ３００：はじめに駆動制御装置１４の制御装置制御部３３は、予測震度が閾値以上であることを示す通知が通報装置１２から受信されたか否かを判定する。通知が受信されたと判定された場合（ステップＳ３００−Ｙｅｓ）、ステップＳ３０１に進む。一方、制御装置制御部３３は、通知が受信されていないと判定された場合（ステップＳ３００−Ｎｏ）、制御装置制御部３３は、ステップＳ３００を繰り返して、通知の受信を待ち受ける。
【００９３】
ステップＳ３０１：ステップＳ３００において通知が受信されたと判定された場合（ステップＳ３００−Ｙｅｓ）、制御装置制御部３３は、外部装置１７に対して外部装置１７の状態を示す情報を要求する。
【００９４】
ステップＳ３０２：続いて制御装置制御部３３は、ステップＳ３００において要求した情報を外部装置１７から受信すると、当該情報に基づいて、外部装置１７に対する制御を実行するか否かを判定する。制御を実行すると判定された場合（ステップＳ３０２−Ｙｅｓ）、ステップＳ３０３に進む。一方、制御を実行しないと判定された場合（ステップＳ３０２−Ｎｏ）、ステップＳ３００に戻る。
【００９５】
ステップＳ３０３：ステップＳ３０２において制御を実行すると判定された場合（ステップＳ３０２−Ｙｅｓ）、制御装置制御部３３は、外部装置１７の動作を制御するための第２制御情報を生成して、制御装置通信部３２に外部装置１７へ出力させる。
【００９６】
以上述べたように、本発明の一実施形態に係る情報処理システム１０は、自然現象情報を受信する通報装置通信部２１と、自然現象に関する第１映像信号が入力される第１映像入力部２７と、第２映像信号が入力される第２映像入力部２８と、信号を表示装置１６へ出力可能な切替装置出力部２９と、切替装置出力部２９に信号を出力させる切替装置制御部３１と、を備える。そして切替装置制御部３１は、切替装置出力部２９に、第２映像信号を出力させ、自然現象情報が受信された場合、出力させる映像信号を第２映像信号から第１映像信号に切り替える。かかる構成によって、自然現象情報の受信に応じて映像切替装置１３からの出力映像が切り替わるので、表示装置１６において出力映像を切り替える処理を実行する必要が無い。このため、例えばＨＤＭＩ（登録商標）規格に準拠した複数の映像入力部を備える表示装置１６がＨＤＭＩ（登録商標）  ＣＥＣコマンドに基づき出力映像を切り替える構成と比較して、出力映像に切り替えに要する処理時間が短縮される。
【００９７】
本発明を諸図面や実施例に基づき説明してきたが、当業者であれば本開示に基づき種々の変形や修正を行うことが容易であることに注意されたい。したがって、これらの変形や修正は本発明の範囲に含まれることに留意されたい。例えば、各構成部、各ステップ等に含まれる機能等は論理的に矛盾しないように再配置可能であり、複数の構成部やステップ等を１つに組み合わせたり、或いは分割したりすることが可能である。
【００９８】
例えば、上述の実施形態において、情報処理システム１０が複数の配信サーバ１１を備える構成であってもよい。かかる構成において、通報装置１２は、複数の配信サーバ１１のうち何れか１つと接続を確立する。その後、通報装置１２の通報装置制御部２４は、接続を確立している配信サーバ１１との接続が不可能となった場合、接続先を他の配信サーバ１１に自動的に切り替える。かかる構成によれば、例えば自然災害等、何らかの原因によって通報装置１２と配信サーバ１１との接続が不可能となった場合であっても、通報装置１２と他の配信サーバ１１との間で接続が新たに確立される。
【００９９】
また、上述の実施形態において、通報装置１２が、配信サーバ１１から受信した自然現象情報と、自装置の通報装置情報と、に基づいて、予測震度及び予測猶予時間の少なくとも一方を算出する構成について説明したが、配信サーバ１１から自然現象情報を受信することなく、予測震度及び予測猶予時間の少なくとも一方を算出する構成も可能である。具体的には、情報処理システム１０が備える複数の通報装置１２が、それぞれ加速度センサ（例えば、３軸ＭＥＭＳ加速度センサ）を有しており、互いに通信可能に接続された構成が考えられる。各通報装置１２の通報装置制御部２４（又は予測情報生成部２５）は、所定値以上の加速度の振動、例えば震度５弱に相当する１５０Ｇａｌ以上のＰ波を検出した場合、他の通報装置１２と通信して、当該他の通報装置１２においても所定値以上の加速度の振動が検出されたか否かを判定する。そして予測情報生成部２５は、他の通報装置１２においても当該振動が検出されたと判定された場合、検出された振動に関する情報と、自装置の通報装置情報と、に基づいて、予測震度及び予測猶予時間の少なくとも一方を算出する。
【０１００】
また、上述の実施形態において、通報装置１２が、警報音声を再生させる制御信号を映像切替装置１３へ送信し、映像切替装置１３が、警報音声を生成して再生する構成について説明したが、警報音声を再生させる構成はこれに限られない。例えば、通報装置１２が警報発生部３０を備える構成であってもよい。かかる構成において、通報装置１２の通報装置制御部２４は、警報音声を再生させる制御信号を映像切替装置１３へ送信することに替えて、警報音声を生成し、警報発生部３０に再生させる。
【０１０１】
また、上述の実施形態において、通報装置１２が自装置の識別情報を配信サーバ１１へ送信し、配信サーバ１１が通報装置１２の通報装置情報を通報装置１２へ送信する構成について説明したが、通報装置１２が通報装置情報を生成してもよい。例えば、通報装置制御部２４が、通報装置１２に対するユーザ操作に基づいて通報装置情報を生成し、通報装置記憶部２３に記憶する構成であってもよい。或いは、通報装置記憶部２３が、多様な位置情報と、地域コードと、地盤増幅度と、の対応関係を示す対応情報を予め記憶する構成であってもよい。かかる構成において、通報装置制御部２４は、対応情報と、位置情報取得部２２によって取得された自装置の位置情報と対応情報と、を照合して、自装置の位置情報に対応する地域コード及び地盤増幅度等を抽出する。そして通報装置制御部２４は、抽出された情報を通報装置情報として通報装置記憶部２３に記憶する。
【符号の説明】
【０１０２】
１０    情報処理システム
１１    配信サーバ
１２    通報装置
１３    映像切替装置
１４    駆動制御装置
１５    外部サーバ
１６    表示装置
１７    外部装置
１８    サーバ通信部
１９    サーバ記憶部
２０    サーバ制御部
２１    通報装置通信部
２２    位置情報取得部
２３    通報装置記憶部
２４    通報装置制御部
２５    予測情報生成部
２６    映像信号生成部
２７    第１映像入力部
２８    第２映像入力部
２９    切替装置出力部
３０    警報発生部
３１    切替装置制御部
３２    制御装置通信部
３３    制御装置制御部
【図１】
2017158157.tif 000003
【図２】
2017158157.tif 000004
【図３】
2017158157.tif 000005
【図４】
2017158157.tif 000006
【図５】
2017158157.tif 000007
【図６】
2017158157.tif 000008
【図７】
2017158157.tif 000009
【図８】
2017158157.tif 000010
【図９】
2017158157.tif 000011
【図１０】
2017158157.tif 000012